(57)【特許請求の範囲】
【請求項１】
コネクタと、挿入方向に沿って前記コネクタに挿入可能なトレイとを備え、カードを前記トレイに搭載し且つ前記挿入方向に沿って前記コネクタに挿入したカード挿入状態において前記カードと前記コネクタとが接続するように構成された、コネクタ装置であって、
前記トレイは、前記挿入方向に延びるアームを備えており、
前記アームは、操作部と、第１被位置決め部とを備えており、
前記操作部は、前記アームの前記挿入方向と直交する幅方向における外側に設けられており、
前記第１被位置決め部は、前記操作部よりも前記幅方向における内側に設けられており、
前記コネクタは、前記カード挿入状態の検知に用いられるスイッチと、第１位置決め部とを備えており、
前記スイッチは、前記幅方向に操作可能な被操作部を有しており、
前記被操作部は、前記カード挿入状態において、前記操作部と当接して前記コネクタの前記幅方向における外側に向けて移動し、これによって前記スイッチが切替られるように構成されており、
前記カード挿入状態において、前記第１位置決め部の少なくとも一部は、前記幅方向において前記第１被位置決め部と当接しており、これによって前記操作部が前記被操作部と当接するように前記操作部の位置決めが行われ、
前記アームには、前記挿入方向に沿って延びる位置決め溝と、前記幅方向において前記位置決め溝の外側に位置し且つ前記挿入方向に沿って延びる突条部とが形成されており、
前記第１被位置決め部は、前記突条部の前記位置決め溝に面する部位であり、
前記操作部は、前記突条部の部位であって前記幅方向において前記第１被位置決め部と反対側に位置する部位であり、
前記トレイが前記コネクタに挿入される際、前記第１位置決め部が前記挿入方向に沿って前記位置決め溝に挿入されることで前記第１被位置決め部の位置決めが行われる
コネクタ装置。
【請求項２】
コネクタと、挿入方向に沿って前記コネクタに挿入可能なトレイとを備え、カードを前記トレイに搭載し且つ前記挿入方向に沿って前記コネクタに挿入したカード挿入状態において前記カードと前記コネクタとが接続するように構成された、コネクタ装置であって、
前記トレイは、前記挿入方向に延びるアームを備えており、
前記アームは、操作部と、第１被位置決め部とを備えており、
前記操作部は、前記アームの前記挿入方向と直交する幅方向における外側に設けられており、
前記第１被位置決め部は、前記操作部よりも前記幅方向における内側に設けられており、
前記コネクタは、前記カード挿入状態の検知に用いられるスイッチと、第１位置決め部とを備えており、
前記スイッチは、前記幅方向に操作可能な被操作部を有しており、
前記被操作部は、前記カード挿入状態において、前記操作部と当接して前記コネクタの前記幅方向における外側に向けて移動し、これによって前記スイッチが切替られるように構成されており、
前記カード挿入状態において、前記第１位置決め部の少なくとも一部は、前記幅方向において前記第１被位置決め部と当接しており、これによって前記操作部が前記被操作部と当接するように前記操作部の位置決めが行われ、
前記コネクタは、第２位置決め部を備えており、
前記アームは、第２被位置決め部を備えており、
前記第２被位置決め部は、前記幅方向において前記アームの前記操作部とは反対側の端部に設けられており、
前記第２位置決め部の少なくとも一部は、前記挿入方向において前記第１位置決め部の手前側に位置しており、
前記トレイが前記コネクタに挿入される際、前記第２位置決め部が前記第２被位置決め部に当接し、それによって、前記第１被位置決め部を前記第１位置決め部に向けてガイドする
コネクタ装置。
【請求項３】
請求項２記載のコネクタ装置であって、
前記カード挿入状態において、前記第２位置決め部の少なくとも一部は、前記幅方向において前記アーム及び前記第１位置決め部と重なっており、前記被操作部による前記操作部に対する反力を前記第１位置決め部及び前記アームを介して受けるように構成されている
コネクタ装置。
【請求項４】
請求項２又は請求項３記載のコネクタ装置であって、
前記シェルは、前記挿入方向及び前記幅方向の双方と直交する高さ方向の上方から前記ハウジングを覆っており、これによって前記トレイが挿入されるトレイ収納部が前記ハウジングと前記シェルとの間に形成されており、
前記第２位置決め部は、前記ハウジングに設けられている
コネクタ装置。
【請求項５】
請求項２乃至請求項４のいずれかに記載のコネクタ装置であって、
前記第２位置決め部と前記第２被位置決め部との少なくとも一方は、前記挿入方向に沿って延びている
コネクタ装置。
【請求項６】
請求項２乃至請求項５のいずれかに記載のコネクタ装置であって、
前記アームには、前記挿入方向に沿って延びる位置決め溝と、前記幅方向において前記位置決め溝の外側に位置し且つ前記挿入方向に沿って延びる突条部とが形成されており、
前記第１被位置決め部は、前記突条部の前記位置決め溝に面する部位であり、
前記操作部は、前記突条部の部位であって前記幅方向において前記第１被位置決め部と反対側に位置する部位であり、
前記トレイが前記コネクタに挿入される際、前記第１位置決め部が前記挿入方向に沿って前記位置決め溝に挿入されることで前記第１被位置決め部の位置決めが行われる
コネクタ装置。
【請求項７】
請求項１又は請求項６記載のコネクタ装置であって、
前記位置決め溝の前記幅方向におけるサイズは、前記第１位置決め部の前記幅方向におけるサイズに対応している
コネクタ装置。
【請求項８】
請求項１乃至請求項７のいずれかに記載のコネクタ装置であって、
前記コネクタは、ハウジングと、ハウジングの少なくとも一部を覆うシェルとを備えており、
前記被操作部と前記第１位置決め部とは、前記シェルに設けられている
コネクタ装置。
【請求項９】
請求項１乃至請求項８のいずれかに記載のコネクタ装置であって、
前記第１位置決め部と前記第１被位置決め部との少なくとも一方は、前記挿入方向に沿って延びている
コネクタ装置。
【請求項１０】
請求項１乃至請求項９のいずれかに記載のコネクタ装置におけるコネクタ。
【請求項１１】
請求項１乃至請求項９のいずれかに記載のコネクタ装置におけるトレイ。
【発明の詳細な説明】
【技術分野】
【０００１】
本発明は、ＳＩＭ（Subscriber Identity Module）カードのようなカードと接続するコネクタに関する。
【背景技術】
【０００２】
マルチメディアカード（ＭＭＣ）などのメモリカードと接続するコネクタとしては、例えば、特許文献１及び特許文献２に開示されたものがある。特許文献１及び特許文献２のコネクタは、いずれもカードを挿入して収容するものであり、カードの挿入を検知するための挿入検知スイッチを備えている。特許文献１のコネクタ（図１５参照）には、複数のスイッチが設けられているが、このうち挿入検知スイッチはコネクタの奥側（図１５において手前左側）に設けられている。特許文献２のコネクタ（図１６参照）における挿入検知スイッチもコネクタの奥側（図１６において右奥の中央付近）に設けられている。
【先行技術文献】
【特許文献】
【０００３】
【特許文献１】特開２００１−１３５４２４号公報
【特許文献２】特開２０１０−２１９０７０号公報
【発明の概要】
【発明が解決しようとする課題】
【０００４】
コネクタの奥側にスイッチを備えようとすると、コネクタの奥側にそのための空間が必要となり、コネクタ全体のサイズが大きくなるおそれがある。コネクタをより小型化するためには、むしろコネクタの側部に幅方向に変位するスイッチを備えることが好ましい。
【０００５】
カードと接続するコネクタとしては、カードを直接コネクタに挿抜するタイプの他に、トレイにカードを搭載してコネクタに挿入するタイプも存在する。後者のタイプにおいてコネクタの側部に幅方向に変位するスイッチを備える場合、トレイの側部がスイッチを幅方向に押して変位させることになる。従って、トレイはスイッチから幅方向に沿った反力を受けることになる。
【０００６】
コネクタの小型化に伴い、トレイの小型化・低背化も進んでいる。このためトレイの剛性が低く、トレイによりスイッチを十分に変形させることができないおそれがある。また、トレイのサイズのばらつきに起因してスイッチの切替えが適切になされないおそれもある。
【０００７】
そこで、本発明は、側部に幅方向に変位するスイッチを備えた小型化可能なコネクタであってスイッチの信頼性を向上することのできるコネクタを提供することを目的とする。
【課題を解決するための手段】
【０００８】
本発明は、第１のコネクタ装置として、
コネクタと、挿入方向に沿って前記コネクタに挿入可能なトレイとを備え、カードを前記トレイに搭載し且つ前記挿入方向に沿って前記コネクタに挿入したカード挿入状態において前記カードと前記コネクタとが接続するように構成された、コネクタ装置であって、
前記トレイは、前記挿入方向に延びるアームを備えており、
前記アームは、操作部と、第１被位置決め部とを備えており、
前記操作部は、前記アームの前記挿入方向と直交する幅方向における外側に設けられており、
前記第１被位置決め部は、前記操作部よりも前記幅方向における内側に設けられており、
前記コネクタは、前記カード挿入状態の検知に用いられるスイッチと、第１位置決め部とを備えており、
前記スイッチは、前記幅方向に操作可能な被操作部を有しており、
前記被操作部は、前記カード挿入状態において、前記操作部と当接して前記コネクタの前記幅方向における外側に向けて移動し、これによって前記スイッチが切替られるように構成されており、
前記カード挿入状態において、前記第１位置決め部の少なくとも一部は、前記幅方向において前記第１被位置決め部と当接しており、これによって前記操作部が前記被操作部と当接するように前記操作部の位置決めが行われる
コネクタ装置を提供する。
【０００９】
本発明は、第２のコネクタ装置として、第１のコネクタ装置であって、
前記コネクタは、ハウジングと、ハウジングの少なくとも一部を覆うシェルとを備えており、
前記被操作部と前記第１位置決め部とは、前記シェルに設けられている
コネクタ装置を提供する。
【００１０】
本発明は、第３のコネクタ装置として、第１又は第２のコネクタ装置であって、
前記第１位置決め部と前記第１被位置決め部との少なくとも一方は、前記挿入方向に沿って延びている
コネクタ装置を提供する。
【００１１】
本発明は、第４のコネクタ装置として、第１乃至第３のいずれかのコネクタ装置であって、
前記アームには、前記挿入方向に沿って延びる位置決め溝と、前記幅方向において前記位置決め溝の外側に位置し且つ前記挿入方向に沿って延びる突条部とが形成されており、
前記第１被位置決め部は、前記突条部の前記位置決め溝に面する部位であり、
前記操作部は、前記突条部の部位であって前記幅方向において前記第１被位置決め部と反対側に位置する部位であり、
前記トレイが前記コネクタに挿入される際、前記第１位置決め部が前記挿入方向に沿って前記位置決め溝に挿入されることで前記第１被位置決め部の位置決めが行われる
コネクタ装置を提供する。
【００１２】
本発明は、第５のコネクタ装置として、第４のコネクタ装置であって、
前記位置決め溝の前記幅方向におけるサイズは、前記第１位置決め部の前記幅方向におけるサイズに対応している
コネクタ装置を提供する。
【００１３】
本発明は、第６のコネクタ装置として、第１乃至第５のいずれかのコネクタ装置であって、
前記コネクタは、第２位置決め部を備えており、
前記アームは、第２被位置決め部を備えており、
前記第２被位置決め部は、前記幅方向において前記アームの前記操作部とは反対側の端部に設けられており、
前記第２位置決め部の少なくとも一部は、前記挿入方向において前記第１位置決め部の手前側に位置しており、
前記トレイが前記コネクタに挿入される際、前記第２位置決め部が前記第２被位置決め部に当接し、それによって、前記第１被位置決め部を前記第１位置決め部に向けてガイドする
コネクタ装置を提供する。
【００１４】
本発明は、第７のコネクタ装置として、第６のコネクタ装置であって、
前記カード挿入状態において、前記第２位置決め部の少なくとも一部は、前記幅方向において前記アーム及び前記第１位置決め部と重なっており、前記被操作部による前記操作部に対する反力を前記第１位置決め部及び前記アームを介して受けるように構成されている
コネクタ装置を提供する。
【００１５】
本発明は、第８のコネクタ装置として、第６又は第７のコネクタ装置であって、
前記シェルは、前記挿入方向及び前記幅方向の双方と直交する高さ方向の上方から前記ハウジングを覆っており、これによって前記トレイが挿入されるトレイ収納部が前記ハウジングと前記シェルとの間に形成されており、
前記第２位置決め部は、前記ハウジングに設けられている
コネクタ装置を提供する。
【００１６】
本発明は、第９のコネクタ装置として、第６乃至第８のいずれかのコネクタ装置であって、
前記第２位置決め部と前記第２被位置決め部との少なくとも一方は、前記挿入方向に沿って延びている
コネクタ装置を提供する。
【００１７】
本発明は、第１のコネクタとして、第１乃至第９のいずれかのコネクタ装置におけるコネクタを提供する。
【００１８】
本発明は、第１のトレイとして、第１乃至第９のいずれかのコネクタ装置におけるトレイを提供する。
【発明の効果】
【００１９】
カード挿入状態において、コネクタに設けた第１位置決め部の少なくとも一部が、トレイのアームに設けた第１被位置決め部と幅方向において当接し、これによってトレイのアームに設けた操作部がコネクタに設けたスイッチの被操作部と当接するように操作部の位置決めを行うこととしたため、操作部が幅方向において被操作部から離れる方向に移動することを防止することができ、スイッチの信頼性を向上することができる。
【００２０】
トレイのアームに、挿入方向に沿って延びる位置決め溝を設け、トレイがコネクタに挿入される際、第１位置決め部が挿入方向に沿って位置決め溝に挿入されることで第１被位置決め部の位置決めが行われるように構成されている場合、第１被位置決め部を第１位置決め部により確実にガイドすることができる。
【００２１】
コネクタに第２位置決め部を設け、アームに第２被位置決め部を設け、トレイがコネクタに挿入される際、第２位置決め部が第２被位置決め部に当接し、それによって、第１被位置決め部を第１位置決め部に向けてガイドするように構成されている場合、第１被位置決め部を第１位置決め部によりさらに確実にガイドすることができる。
【図面の簡単な説明】
【００２２】
【図１】本発明の実施の形態によるコネクタ装置を示す斜視図である。
【図２】図１のコネクタ装置を示す側面図である。なお、コネクタの排出部材は表示していない。
【図３】図１のコネクタ装置に挿入されるカードを示す平面図である。（ａ）は上面図であり、（ｂ）は裏面図である。
【図４】図１のコネクタ装置のコネクタとトレイとを示す平面図である。なお、トレイに搭載されるカードを破線で表示している。
【図５】図４のトレイを示す斜視図である。
【図６】図４のトレイのアームの先端部分（破線Ａの部分）を示す拡大部分平面図である。
【図７】図６のアームの先端部分をVII-VII線に沿って示す断面図である。
【図８】図４のコネクタを示す分解斜視図である。なお、コネクタの排出部材は表示していない。
【図９】図４のコネクタを示す平面図である。なお、ハウジングのうちシェルに覆われた部分の概略形状を破線で表示している。
【図１０】図９のハウジングの第２位置決め部付近（破線Ｂの部分）を示す拡大部分平面図である。
【図１１】図２のコネクタ装置をX-X線に沿って示す断面図である。
【図１２】図４のトレイを図４のコネクタに挿入した際のハウジングの第２位置決め部付近を示す拡大部分平面図である。なお、シェルの第１位置決め部とスイッチとを破線で表示している。
【図１３】図９のシェルの第１位置決め部付近（破線Ｃの部分）を示す拡大部分平面図である。
【図１４】製品出荷時における図２のコネクタ装置をXIV-XIV線に沿って示す断面図である。
【図１５】従来のコネクタ装置の一例を示す斜視図である。
【図１６】従来のコネクタ装置の別の一例を示す斜視図である。
【発明を実施するための形態】
【００２３】
図１、図２及び図４に示されるように、本実施の形態によるコネクタ装置１０は、コネクタ２００と、挿入方向（−Ｘ方向）に沿ってコネクタ２００に挿入可能なトレイ３００とを備えている。トレイ３００には、カード９００を搭載することができる。本実施の形態によるカード９００は、例えば、ＳＩＭカードである。図３（ｂ）に示されるように、カード９００の裏面（−Ｚ側）には複数の電極部９１０が形成されている。一方、コネクタ２００は、金属からなる複数のコンタクト２９０を備えている。コネクタ装置１０は、カード９００をトレイ３００に搭載し且つ−Ｘ方向（挿入方向）に沿ってコネクタ２００に挿入したカード挿入状態において、カード９００の電極部９１０とコネクタ２００のコンタクト２９０とが接触し、これによってカード９００とコネクタ２００とが電気的に接続されるように構成されている。
【００２４】
本実施の形態によるトレイ３００は、絶縁樹脂をモールドして得られるものであり、図１、図４及び図５に示されるように、前壁部３１０、側壁部３２０及び搭載部３４０を有している。前壁部３１０は、トレイ３００の＋Ｘ方向前端部分であり、トレイ３００をコネクタ２００内に挿入するときに（即ち、トレイ３００を−Ｘ方向（挿入方向）に向けて押し込むときに）押される部位である。前壁部３１０は、Ｙ方向（幅方向）に沿って延びており、Ｙ方向における両端付近から、２つの側壁部３２０が−Ｘ方向に沿って延びている。側壁部３２０には、Ｙ方向において内側に向かって凹んだ凹部３２１が夫々形成されている。
【００２５】
搭載部３４０は、カード９００を搭載・保持する部位であり、前壁部３１０及び側壁部３２０に沿うようにして、トレイ３００の底面部分に設けられている。搭載部３４０のＺ方向（高さ方向）のサイズは、前壁部３１０及び側壁部３２０のＺ方向のサイズよりも小さい。
【００２６】
図４乃至図７に示されるように、トレイ３００のＹ方向における両側部分には、側壁部３２０と搭載部３４０とからなるアーム３５０が形成されている。アーム３５０は、−Ｘ方向（挿入方向）に沿って延びており、アーム３５０の一方には、位置決め溝３５１と突条部３５２とが形成されている。位置決め溝３５１は、側壁部３２０のＹ方向内側を切り欠くようにして形成されており、且つ、−Ｚ方向に凹んでいる。また位置決め溝３５１は、−Ｘ方向（挿入方向）に沿って延びている。突条部３５２は、Ｙ方向（幅方向）において位置決め溝３５１の外側に位置しており、＋Ｚ方向に突出すると共に−Ｘ方向（挿入方向）に沿って延びている。また、アーム３５０の下面には段差部３５０ｓが形成されており、アーム３５０の−Ｘ側の底面の位置が、＋Ｘ側の底面の位置よりも、やや高くなっている。
【００２７】
図５乃至図７に示されるように、アーム３５０の突条部３５２は、操作部３５３、第１被位置決め部３５４を備えている。第１被位置決め部３５４は、突条部３５２の位置決め溝３５１に面する部位であり、操作部３５３は、突条部３５２の部位であってＹ方向（幅方向）において第１被位置決め部３５４と反対側に位置する部位である。即ち、操作部３５３は、アーム３５０のＹ方向（幅方向）における外側に設けられており、第１被位置決め部３５４は、操作部３５３よりもＹ方向（幅方向）における内側に設けられている。第１被位置決め部３５４は、−Ｘ方向（挿入方向）に沿って延びており、−Ｘ方向先端部分に第１ガイド部３５４ａを有している。第１ガイド部３５４ａは、Ｙ方向外側に傾斜しながら−Ｘ方向に延びている。換言すれば、第１ガイド部３５４ａは、Ｘ方向及びＹ方向の双方と斜交する面状に形成されている。また、アーム３５０の先端付近には第３ガイド部３５７が形成されている。第３ガイド部３５７は、Ｘ方向及びＹ方向の双方と斜交する面状に形成されている。第１ガイド部３５４ａと第３ガイド部３５７とは、位置決め溝３５１の先端付近をＹ方向において挟んでおり、−Ｘ方向に向かってＹ方向において互いに離れるようにして延びている。
【００２８】
アーム３５０は、更に第２被位置決め部３５８を備えている。第２被位置決め部３５８は、Ｙ方向（幅方向）においてアーム３５０の操作部３５３とは反対側の端部に設けられており、−Ｘ方向（挿入方向）に沿って延びている。詳しくは、第２被位置決め部３５８は、第２ガイド部３５８ａと被係止部３５８ｂとを有している。被係止部３５８ｂは、ＸＺ平面に平行な面状に形成されている。第２ガイド部３５８ａは、被係止部３５８ｂの−Ｘ方向先端から＋Ｙ方向に傾斜しながら−Ｘ方向に延びている。換言すれば、第２ガイド部３５８ａは、Ｘ方向及びＹ方向の双方と斜交する面状に形成されている。また、第２被位置決め部３５８の−Ｘ方向先端は、−Ｘ方向（挿入方向）において第１被位置決め部３５４よりも前方に位置している。
【００２９】
図１、図２、図４、図８及び図９に示されるように、コネクタ２００は、金属からなるシェル２１０と絶縁樹脂からなるハウジング２５０とを備えている。シェル２１０は、ハウジング２５０の少なくとも一部を覆っている。詳しくは、シェル２１０は、−Ｘ方向（挿入方向）及びＹ方向（幅方向）の双方と直交するＺ方向（高さ方向）の上方からハウジング２５０を覆っており、これによってトレイ３００が挿入されるトレイ収納部２８０がハウジング２５０とシェル２１０との間に形成されている。
【００３０】
図８及び図９に示されるように、ハウジング２５０は、略矩形状の本体部２６０と、後端部２６５とを有している。後端部２６５は、本体部２６０の−Ｘ方向且つ＋Ｙ方向の端部付近から、ハウジング２５０の後方に向けて突出している。本体部２６０のＹ方向における両側部には、金属からなる側壁板２５１がインサート成型により組み込まれている。２つの側壁板２５１のＹ方向における幅は、２つのアーム３５０（図５参照）のＹ方向における幅と夫々対応している。また、Ｚ方向において、側壁板２５１の側板部分の上端は本体部２６０の上面よりも高い位置に位置する一方、側壁板２５１の底板部分の上面は本体部２６０の上面よりもやや低い位置に位置しており、トレイ３００のアーム３５０をガイド可能となっている。また、一方の側壁板２５１と後端部２６５とのＸ方向における境界部分は、カード挿入状態において、アーム３５０の段差部３５０ｓ（図５参照）と対応するように構成されている。従って、カード挿入状態において、アーム３５０の下部を側壁板２５１部分に収容・保持することができる。
【００３１】
本体部２６０には、コンタクト２９０が保持されている。本実施の形態によるコンタクト２９０は、ハウジング２５０の形成時にインサート成型されたものである。コンタクト２９０は、ハウジング２５０からトレイ収納部２８０の内部に突出しており、トレイ収納部２８０に挿入されたカード９００の電極部９１０と接触可能となっている。
【００３２】
図８乃至図１１に示されるように、ハウジング２５０の後端部２６５には、第２位置決め部２７０が形成されている。第２位置決め部２７０は、ハウジング２５０からトレイ収納部２８０の内部に突出しており、−Ｘ方向（挿入方向）に沿って延びている。第２位置決め部２７０は、第２ガイド部２７０ａと、係止部２７０ｂとを備えている。係止部２７０ｂは、ＸＺ平面に平行な面状に形成されている。図１１に示されるように、係止部２７０ｂは、カード挿入状態において、アーム３５０の被係止部３５８ｂとＹ方向（幅方向）において対応する位置に設けられている。第２ガイド部２７０ａは、係止部２７０ｂの＋Ｘ方向先端から−Ｙ方向に傾斜しながら＋Ｘ方向に延びている。換言すれば、第２ガイド部３５８ａは、Ｘ方向及びＹ方向の双方と斜交する面状に形成されている。
【００３３】
図１、図２及び図４に示されるように、シェル２１０は、Ｙ方向において側部２１０ａ及び側部２１０ｂを有しており、Ｘ方向において前端部２１０ｆ及び後端部２１０ｒを有している。シェル２１０の上面には、金属からなる排出部材２９５が取り付けられている。排出部材２９５は、コネクタ２００に挿入したトレイ３００をコネクタ２００から排出する際に操作される。また、シェル２１０の側部２１０ａ及び側部２１０ｂには、夫々、保持バネ２２０が形成されている。各保持バネ２２０は、くの字状の先端部分を有している。トレイ３００がコネクタ２００内に挿入されると、保持バネ２２０の先端部分がトレイ３００の凹部３２１に受容され、それによってコネクタ２００へのトレイ３００の収容状態が維持される。
【００３４】
図１、図４、図８及び図９に示されるように、シェル２１０は、側部２１０ａに、金属からなる第１位置決め部２３０を備えている。第１位置決め部２３０は、側部２１０ａの後端部２１０ｒ付近に設けられている。本実施の形態による第１位置決め部２３０は、シェル２１０の一部に切り込みを入れて、−Ｚ方向に向けて折り曲げることによって形成されており、−Ｘ方向（挿入方向）に沿って延びている。詳しくは、第１位置決め部２３０は、ＸＺ平面と平行な略矩形の板状に形成されており、上端部分でシェル２１０の上面と接続している。第１位置決め部２３０は、カード挿入状態において、アーム３５０の位置決め溝３５１とＹ方向（幅方向）において対応する位置に設けられている（図１１参照）。また、第１位置決め部２３０のＹ方向における幅は、トレイ３００の位置決め溝３５１に挿入できる程度に設定されている。換言すれば、トレイ３００の位置決め溝３５１のＹ方向（幅方向）におけるサイズは、第１位置決め部２３０のＹ方向におけるサイズに対応している。また、第２位置決め部２７０の一部である第２ガイド部２７０ａは、−Ｘ方向（挿入方向）において第１位置決め部２３０の手前側に位置している（図１１参照）。
【００３５】
図１、図４及び図８に示されるように、コネクタ２００は、金属からなるスイッチ２４０を備えている。スイッチ２４０は、トレイ３００及びカード９００がコネクタ２００に収容されているか否かを検知するために（即ち、カード挿入状態の検知に）用いるものであり、検知回路（図示せず）と接続されている。スイッチ２４０は、ハウジング２５０の後端部２６５に固定された固定部２４２と、シェル２１０に取り付けられ、Ｙ方向（幅方向）に操作可能な被操作部２４４とを有している。固定部２４２は、一端をハウジング２５０の後端部２６５に固定・支持されており、他方の端部２４２ａは、第１位置決め部２３０をやや越えた位置まで＋Ｙ方向に沿って延びている。被操作部２４４は、シェル２１０の側部２１０ａに一端を固定されており、側部２１０ａの近傍を−Ｘ方向に延びている。詳しくは、被操作部２４４は、側部２１０ａから離れるようにして延びた後、第１位置決め部２３０に接近するようにして延び、再び側部２１０ａから離れるようにして固定部２４２の端部２４２ａ近傍まで延びている。
【００３６】
図１３（ａ）に示されるように、コネクタ２００にトレイ３００が挿入されていない状態において、被操作部２４４の自由端は、固定部２４２の端部２４２ａと接触している。一方、図１３（ｂ）に示されるように、被操作部２４４は、カード挿入状態において、アーム３５０の操作部３５３と当接して、コネクタ２００のＹ方向（幅方向）における外側に向けて移動する。従って、被操作部２４４の自由端は、固定部２４２の端部２４２ａから離れ、これによってスイッチ２４０が切替られるように構成されている。
【００３７】
なお、図１から明らかなように、シェル２１０のＹ方向のサイズ（側部２１０ａと側部２１０ｂとの間の距離）よりもトレイ３００の前壁部３１０のＹ方向のサイズの方が大きい。特に、本実施の形態による前壁部３１０は、側部２１０ａ側で側部２１０ａよりもＹ方向に大きく突出しており、排出部材２９５がシェル２１０の側部２１０ａよりも突出しており、側部２１０ａ側にスペースがある。このため、スイッチ２４０を側部２１０ａに設けるメリットが大きい。
【００３８】
以下、トレイ３００にカード９００を搭載してコネクタ２００に挿入する際の被操作部２４４等の位置決めについて説明する。
【００３９】
図１２（ａ）から理解されるように、トレイ３００をコネクタ２００に挿入開始した時点において、第１位置決め部２３０及び第１被位置決め部３５４の対向する先端間の距離は、第２位置決め部２７０及び第２被位置決め部３５８の対向する先端間の距離よりも短くなるように設計されている。また、第２被位置決め部３５８は、カード挿入状態において、第２位置決め部２７０に沿うようにして、第２位置決め部２７０の＋Ｙ方向側に位置するように設計されている。同様に、第１被位置決め部３５４は、カード挿入状態において、第１位置決め部２３０に沿うようにして、第１位置決め部２３０の＋Ｙ方向側に位置するように設計されている。
【００４０】
しかしながら、実際にはトレイ３００とコネクタ２００との間には多少の位置ずれが生ずることもある。その場合、図１２（ａ）に示されるように、トレイ３００がコネクタ２００に挿入される際、第２位置決め部２７０の第２ガイド部２７０ａが第２被位置決め部３５８の第２ガイド部３５８ａに当接する。第２ガイド部３５８ａは、第２ガイド部２７０ａから＋Ｙ方向に沿った力を受け、これによってアーム３５０は、Ｙ方向において位置合わせされる。換言すれば、第２位置決め部２７０は、アーム３５０の第１被位置決め部３５４を第１位置決め部２３０とＹ方向において当接する位置に向けてガイドする。本実施形態においては、第２ガイド部２７０ａ及び第２ガイド部３５８ａの双方とも、Ｘ方向及びＹ方向に斜交し、且つ互いに略平行な平面状に形成されているので、第２被位置決め部３５８をスムーズにガイドすることができる。但し、第２ガイド部２７０ａ及び第２ガイド部３５８ａの形状は、上記の形状には限られない。
【００４１】
図１２（ｂ）に示されるように、トレイ３００を更にコネクタ２００に挿入すると、アーム３５０の位置決め溝３５１は、第１位置決め部２３０に接近し、第１位置決め部２３０は、第１ガイド部３５４ａ又は第３ガイド部３５７と当接する。トレイ３００の挿入を続けると、位置決め溝３５１は、第１位置決め部２３０に向けてガイドされ、第１位置決め部２３０を受容する。即ち、本実施の形態においては、第１位置決め部２３０が−Ｘ方向（挿入方向）に沿って位置決め溝３５１に挿入されることで第１被位置決め部３５４の位置決めが行われる。従って、第１被位置決め部３５４を第１位置決め部２３０とＹ方向において当接する位置まで、より確実にガイドすることができる。
【００４２】
図１２（ｃ）及び図１３（ｂ）に示されるように、カード挿入状態においては、第１位置決め部２３０は、位置決め溝３５１に挿入されており、アーム３５０の突条部３５２は、Ｙ方向において、第１位置決め部２３０と被操作部２４４とに挟まれている。換言すれば、第１位置決め部２３０の少なくとも一部は、Ｙ方向（幅方向）において第１被位置決め部３５４と当接しており、これによって操作部３５３が被操作部２４４と当接するように操作部３５３の位置決めが行われている。従って、操作部３５３により被操作部２４４を十分に変形させてスイッチ２４０を切替えることができると共に、操作部３５３がＹ方向において被操作部２４４から離れる方向に移動することを防止することができ、スイッチ２４０の信頼性を向上することができる。
【００４３】
以上に説明したように、本実施の形態においては、トレイ３００をコネクタ２００に挿入する際の操作部３５３の位置決めが、まず、第２位置決め部２７０と第２被位置決め部３５８によって行われ、続いて第１位置決め部２３０と第１被位置決め部３５４によって行われる。このように２段階で位置決めを行うことで、精度よくスムーズに位置決めすることができる。但し、１段階で位置決めするようにしてもよい。具体的には、例えば、第１位置決め部２３０と第１被位置決め部３５４とによる位置決めのみ行うようにしてもよい。このようにすることで、部材の形状をよりシンプルにすることができる。また、本実施の形態による第１位置決め部２３０、第１被位置決め部３５４、第２位置決め部２７０及び第２被位置決め部３５８は、いずれもＸ方向に長く延びているが、Ｘ方向において短く形成することも可能である。但し、より確実に位置決めされるようにするためには、本実施の形態のように構成することが好ましい。
【００４４】
図１３（ｂ）から理解されるように、カード挿入状態において、トレイ３００の操作部３５３は、被操作部２４４から−Ｙ方向の反力を受けるが、コネクタ２００の第１位置決め部２３０がこの反力を受け止めるので、操作部３５３が幅方向に移動することを防止することができる。更に、本実施の形態においては、操作部３５３を介してアーム３５０の先端部付近が反力の一部を受ける。更に、図１１に示されるように、カード挿入状態において、アーム３５０の被係止部３５８ｂは、コネクタ２００の係止部２７０ｂのＹ方向における近傍に位置している。また、係止部２７０ｂのコネクタ２００奥側部分は、Ｙ方向において被係止部３５８ｂ及び第１位置決め部２３０と重なっている（図１２（ｃ）参照）。換言すれば、本実施の形態においては、カード挿入状態において、第２位置決め部２７０の少なくとも一部は、Ｙ方向（幅方向）においてアーム３５０及び第１位置決め部２３０と重なっている。以上の説明から理解されるように、本実施の形態による第２位置決め部２７０は、被操作部２４４による操作部３５３に対する反力を第１位置決め部２３０及びアーム３５０を介して受けるように構成されている。従って、アーム３５０の−Ｙ方向の移動は、係止部２７０ｂによって係止され、トレイ３００を変形させることなく、Ｙ方向（幅方向）の力を受け止めることができる。
【００４５】
図４に示されるように、トレイ３００の搭載部３４０は、トレイ３００の内壁に沿うように設けられている。従って、一方のアーム３５０が受けたＹ方向の力をトレイ３００全体で受け止めることができる。また、搭載部３４０に搭載されたカード９００もＹ方向の力を受ける。このように、本実施の形態によるコネクタ装置１００は、幅方向に沿った力によるトレイ３００の変形を効果的に防止することができる。
【００４６】
コネクタ２００の第１位置決め部２３０だけで反力を十分に受け止めることができる場合には、第２位置決め部２７０の係止部２７０ｂのような部位は不要である。この他にも、位置決めに係る構造を様々に変形することが可能である。例えば、図５に示されるように、本実施の形態における位置決め溝３５１は、側壁部３２０のＹ方向における端部に形成されトレイ３００の内部空間に連通しているが、側壁部３２０のＹ方向における中央部分に位置決め溝３５１を形成してもよい。
【００４７】
図１４（ａ）から理解されるように、本実施の形態による被操作部２４４は、初期状態においては、第１位置決め部２３０の下方を通過し、コネクタ２００の内部に向かって、固定部２４２の端部２４２ａを越えて延びており、被操作部２４４を保護するようになっている。この状態においてトレイ３００をコネクタ２００に挿入すると、図１４（ｂ）から理解されるように、被操作部２４４は固定部２４２と接触し、更に固定部２４２を乗り越えてＹ方向外側に移動する。カード挿入状態においては、図１１に示されるように、被操作部２４４は固定部２４２から＋Ｙ方向側に離れて位置する。被操作部２４４は、トレイ３００を引き抜いたときに初期状態における位置（図１４（ａ）参照）には戻らず、図１３（ａ）に示される位置に位置する。
【００４８】
本実施の形態によるコネクタ装置１０は、スタンダードタイプのコネクタ装置であり、ハウジング２５０がコネクタ２００の底面側に配置されている。しかしながら、本発明は、ハウジングがコネクタの上面側に配置され、シェルが下方からハウジングを覆っているリバースタイプのコネクタ装置についても適用可能である。リバースタイプのコネクタ装置においては、カードは、電極部が設けられた面を上に向けてトレイに搭載され、コネクタに挿入される。この場合、第２位置決め部をシェルに設けることができる。即ち、第１位置決め部、第２位置決め部及びスイッチの操作部の全てをシェルに設けることができるので、各部位の位置的関係の精度を高めることができる。
【００４９】
また、本実施の形態によるスイッチ２４０は、ノーマルクローズのスイッチであり、トレイ３００が挿入されていない状態において、固定部２４２と被操作部２４４とが接触している。しかしながら、本発明は、トレイ３００が挿入されていない状態において、固定部２４２と被操作部２４４とが離れているノーマルオープンのスイッチについても適用可能である。
【符号の説明】
【００５０】
１０        コネクタ装置
２００      コネクタ
２１０      シェル
２１０ａ    側部
２１０ｂ    側部
２１０ｆ    前端部
２１０ｒ    後端部
２２０      保持バネ
２３０      第１位置決め部
２４０      スイッチ
２４２      固定部
２４２ａ    端部
２４４      被操作部
２５０      ハウジング
２５１      側壁板
２６０      本体部
２６５      後端部
２７０      第２位置決め部
２７０ａ    第２ガイド部
２７０ｂ    係止部
２８０      トレイ収納部
２９０      コンタクト
２９５      排出部材
３００      トレイ
３１０      前壁部
３２０      側壁部
３２１      凹部
３４０      搭載部
３５０      アーム
３５０ｓ    段差部
３５１      位置決め溝
３５２      突条部
３５３      操作部
３５４      第１被位置決め部
３５４ａ    第１ガイド部
３５７      第３ガイド部
３５８      第２被位置決め部
３５８ａ    第２ガイド部
３５８ｂ    被係止部
９００      カード
９１０      電極部
【図１】
0005732304.tif 000002
【図２】
0005732304.tif 000003
【図３】
0005732304.tif 000004
【図４】
0005732304.tif 000005
【図５】
0005732304.tif 000006
【図６】
0005732304.tif 000007
【図７】
0005732304.tif 000008
【図８】
0005732304.tif 000009
【図９】
0005732304.tif 000010
【図１０】
0005732304.tif 000011
【図１１】
0005732304.tif 000012
【図１２】
0005732304.tif 000013
【図１３】
0005732304.tif 000014
【図１４】
0005732304.tif 000015
【図１５】
0005732304.tif 000016
【図１６】
0005732304.tif 000017